(57)【特許請求の範囲】
【請求項１】
略有底箱形に形成され底部の反対側に開口部を有した開口孔及びその開口孔に連通して略直交した直交孔が側壁及び直交壁でもってそれぞれ形成されたボデイと、基端部側に傾斜部を設けボデイの開口部から導出された先端部が押圧されると開口孔にて摺動自在に摺動する操作子と、操作子を導出方向へ付勢する付勢ばねと、板状で可動接点を端部に設けた可動接点板と、操作子の傾斜部に摺接して可動接点板を押圧し可動接点を固定接点に接離する押し釦とを備え、ボデイの内部と外部とをシールするシールタイプの押釦スイッチであって、
前記接触子の傾斜部を設けた反対側部分から端面までの間に前記基端部が撓むように切り欠き部を設け、かつ切り欠き部の反対側に前記接触子の直交壁に係止する係止突起を設けたことを特徴とする押し釦スイッチ。
【発明の詳細な説明】
【０００１】
【発明の属する技術分野】
本発明は、接続された電気機器への通電を制御する押し釦スイッチに関するものである。
【０００２】
【従来の技術】
従来、この種の押し釦スイッチとして、図７乃至図９に示す構成のものが存在する。このものは、開口部を有した開口孔Ａ１及びその開口孔Ａ１に連通して略直交した直交孔Ａ２が側壁Ａ３及び直交壁Ａ４でもってそれぞれ形成されたボディＡと、基端部側に傾斜部Ｂ１を設けてボディＡの開口部から導出された先端部Ｂ２が押圧されると開口孔Ａ１にて摺動自在に摺動する操作子Ｂと、操作子Ｂを導出方向へ付勢する付勢ばねＣと、板状で可動接点Ｄ１を端部に設けた可動接点板Ｄと、操作子Ｂの傾斜部Ｂ１に摺接して可動接点板Ｄを押圧し可動接点Ｄ１を固定接点Ｅに接離する押し釦Ｆとを備えている。
【０００３】
さらに詳しくは、ボディＡは長穴状の貫通孔Ａ５が設けられるとともに、端子Ｇ１が導出された基台Ｇに固着されている。操作子Ｂは係止突起Ｂ３が基端部側に設けられ、貫通孔Ａ５と係止することによって、導出方向へ抜去されることを防止している。
【０００４】
【発明が解決しようとする課題】
上記した従来の押釦スイッチでは、操作子Ｂの先端部Ｂ２が押圧されることによって、押し釦Ｆが可動接点ばねＤを押圧し可動接点Ｄ１を固定接点Ｅに接離して、電気機器への通電を制御することができる。
【０００５】
しかしながら、屋外又は車載用途に使用されるとき、ボディＡの内部へ水分が侵入する。この水分の侵入を防止するため、ボディＡの内部と外部とをシールする必要があって、ゴムキャップが操作子Ｂの先端部に、パッキンが基台Ｇとの間にそれぞれ設けられる。ただし、操作子Ｂが導出方向へ抜去されることを防止している貫通孔Ａ５から水分が侵入し、この貫通孔Ａ５をシールするシール構造が必要になっていた。
【０００６】
本発明は、上記事由に鑑みてなしたもので、その目的とするところは、操作子とボディとを係止したうえで、容易にボディ内部と外部とをシールできるシールタイプの押釦スイッチを提供することにある。
【０００７】
【課題を解決するための手段】
上記した課題を解決するために、請求項１のものは、略有底箱形に形成され底部の反対側に開口部を有した開口孔及びその開口孔に連通して略直交した直交孔が側壁及び直交壁でもってそれぞれ形成されたボデイと、基端部側に傾斜部を設けボデイの開口部から導出された先端部が押圧されると開口孔にて摺動自在に摺動する操作子と、操作子を導出方向へ付勢する付勢ばねと、板状で可動接点を端部に設けた可動接点板と、操作子の傾斜部に摺接して可動接点板を押圧し可動接点を固定接点に接離する押し釦とを備え、ボデイの内部と外部とをシールするシールタイプの押釦スイッチであって、前記接触子の傾斜部を設けた反対側部分から端面までの間に前記基端部が撓むように切り欠き部を設け、かつ切り欠き部の反対側に前記接触子の直交壁に係止する係止突起を設けている。
【００１２】
【発明の実施の形態】
本発明の第１実施形態を図１乃至図３に基づいて以下に説明する。
【００１３】
１はボディで、合成樹脂の絶縁材料により、一面が開口して底部１１を有した有底箱形に形成され、開口孔１２が側壁１３でもって形成されて、開口部１４が底部１１と反対側にて外部に開口している。さらに、その開口孔１２に連通して略直交した直交孔１５が直交壁１６でもって形成されて、後述する可動接点板４を収容した収容空間１７と開口孔１２とが、直交壁１６の底部１１側にて連通している。
【００１４】
２は操作子で、合成樹脂の絶縁材料により、棒状に形成され、傾斜部２１及びその傾斜部２１の底面から延設した係合凹部２２がそれぞれ基端部２３側に設けられ、開口孔１２に挿通された状態で先端部２４がボディ１の開口部１４から導出されて、押圧されると開口孔１２にて摺動自在に摺動する。
【００１５】
さらに、係止手段である係止突起２５が、先端部２４の導出方向に対する直交方向へ突出して基端部２３に設けられ、ボディ１の直交壁１６の開口孔１２側開口端部と係止している。また、切り欠き部２６が係止突起２５の反対側へ先端部２４の導出方向に沿って設けられ、基端部２３が直交方向へ撓むよう形成されている。
【００１６】
３は付勢ばね３で、綱線であり、コイル状に形成され、開口孔１２に挿入されて、一端がボディ１の底部１１に他端が操作子２の基端部２３に当接して、操作子２を導出方向へ付勢する。
【００１７】
４は可動接点板で、弾性を有する銅合金により、板状で長尺状に形成され、銀合金からなる可動接点４１が一端部にて両面に設けられ、他端部がボディ１に固定されている。５は固定接点で、銀合金により、常開接点５１及び常閉接点５２で構成され、可動接点４１と接離する。
【００１８】
６は押し釦で、合成樹脂の絶縁材料により、棒状に形成され、ボディ１の直交孔１５に挿通されて、一端が係合凹部２２に係合した状態で操作子２に、他端が可動接点板４にそれぞれ当接している。
【００１９】
ゴムキャップ７は、弾性を有するゴムにより、膜状に形成され、操作子２の先端部２４に設けられるとともに、その先端部２４及びボディ１の開口部１４に固着されて、ボディ１の内部と外部とをシールする。
【００２０】
基台８は、合成樹脂の絶縁材料により、可動接点板４と、固定接点５の常開接点５１及び常閉接点５２とのそれぞれに接続された端子８１が導出され、ボディ１の開口面にてボディ１と固着されている。
【００２１】
操作子２は、切り欠き部２６が係止突起２５の反対側に設けられているので、基端部２３が先端部２４の導出方向に対する略直交方向へ撓んだ状態で、ボディ１の開口孔１２に嵌入される。所定量嵌入されると、基端部２３に設けられた係止突起２５が略直交方向へ可動して、ボディ１の直交壁１６の開口端部に係止する。次いで、押し釦６がボディ１の直交孔１５に挿通され係合凹部２２に係合して、すなわち操作子２は係止突起２５と係合凹部２２とで二重に係止される。
【００２２】
このものの動作を説明する。操作子２の先端部２４が押圧されると、操作子２はボディ１の開口孔１２にて摺動自在に摺動し、基端部２３側に設けられた傾斜部２１が押し釦６に摺接して、押し釦６が可動接点４１ばねを押圧する。可動接点４１ばねは押圧されると、可動接点４１が固定接点５に接離して、常閉接点５２を開極するとともに常開接点５１を閉極する。押圧を停止すると、操作子２は付勢ばね３でもって導出方向へ摺動し、ボディ１の開口孔１２から抜去されることなく、係止突起２５と係合凹部２２とで係止される。
【００２３】
かかる第１実施形態の押釦スイッチにあっては、上記したように、係止突起２５が操作子２の基端部２３に設けられたから、操作子２をボディ１の開口孔１２に嵌入すると、係止突起２５が開口孔１２の直交壁１６と係止するので、操作子２が先端部２４の導出方向へ抜去されることがなくなって、かつ従来のように外部に開口した貫通孔を設けることなく、容易にボディ１の内部と外部とをシールして、シールタイプを実現できる。
【００２４】
また、係合凹部２２が操作子２に設けられたから、傾斜面から延設した係合凹部２２が押し釦６と係合して、すなわち、操作子２が係合凹部２２及び係止突起２５の両方で係止されて、係止強度が向上して操作子２をさらに確実にボディ１と係止することができる。
【００２５】
また、切り欠き部２６が係止突起２５の反対側にて操作子２の基端部２３に設けられたから、操作子２をボディ１の開口孔１２に嵌入すると、操作子２の基端部２３が導出方向に対する直交方向へ撓んで、大きな嵌入力を必要とすることなく、係止突起２５をボディ１の直交壁１６と容易に係止することができる。
【００２６】
なお、第１実施形態では、傾斜部２１から延設して押し釦６と係合する係合凹部２２を操作子２に設けたが、ボディ１の直交壁１６と係止する係止突起２５でもって係止強度が達成できるときは、設けなくてもよく限定されない。
【００２７】
また、第１実施形態では、基端部２３が直交方向へ撓むよう切り欠き部２６を操作子２に設けたが、操作子２が薄く形成されて直交方向へ容易に撓むときは設けなくてもよく、限定されない。
【００２８】
本発明の第２実施形態を図４乃至図６に基づいて以下に説明する。なお、第２実施形態では第１実施形態と異なる機能について述べることとし、第１実施形態と実質的に同一機能を有する部材については、同一符号を付してある。第２実施形態では、係止突起２５及び切り欠き部２６が操作子２に設けられていない。
【００２９】
ボディ１は、一面が開口した有底箱形に形成され、開口孔１２が側壁１３でもって２段に形成されて両段差部１２ａを設け、開口部１４が底部１１と反対側にて外部に開口している。さらに、その開口孔１２に連通して略直交した直交孔１５が直交壁１６でもって形成されている。
【００３０】
操作子２は、棒状に形成され、傾斜部２１及びその傾斜部２１の底面から延設した係合凹部２２がそれぞれ基端部２３側に設けられ、開口孔１２に挿通された状態で先端部２４がボディ１の開口部１４から導出されて、押圧されると摺動自在に摺動する。
【００３１】
さらに、係止手段である段差部係止突起２７が、先端部２４の導出方向に対する直交方向の両側へ突出して基端部２３に設けられ、２段の開口孔１２を形成する側壁１３の両段差部１２ａと係止している。また、別の切り欠き部２８が導出方向へ沿って基端部２３に設けられ、両双子片２９を形成している。
【００３２】
操作子２は、段差部係止突起２７と別の切り欠き部２８とが基端部２３に設けられているので、基端部２３が先端部２４の導出方向に対する略直交方向へ撓んだ状態で、ボディ１の開口孔１２に嵌入される。所定量嵌入されると、段差部係止突起２７が略直交方向へ可動して、側壁１３の両段差部１２ａと係止する。次いで、押し釦６がボディ１の直交孔１５に挿通され係合凹部２２に係合して、すなわち操作子２は係止突起２５と係合凹部２２とで二重に係止される。
【００３３】
かかる第２実施形態の押し釦スイッチにあっては、上記したように、２段の開口孔１２を形成する側壁１３の両段差部１２ａを設け、導出方向に対する直交方向へ突出した段差部係止突起２７が操作子２の基端部２３に設けられたから、操作子２をボディ１の開口孔１２に嵌入すると、段差部係止突起２７が両段差部１２ａと直交方向にて係止して、操作子２をボディ１と容易に係止できるとともに、係止強度が向上して操作子２を確実にボディ１と係止することができる。
【００３４】
また、導出方向へ沿って切り欠いた別の切り欠き部２８が操作子２の基端部２３に設けられて、両双子片２９が形成されたから、操作子２をボディ１の開口孔１２に嵌入すると、両双子片２９が直交方向へ撓んで、大きな嵌入力を必要とすることなく、段差部係止突起２７を両段差部１２ａと容易に係止することができる。
【００３５】
なお、第２実施形態では、段差部係止突起２７が２段の開口孔１２を形成する側壁１３の両段差部１２ａと係止するものとしたが、２段ではなく一段の開口孔１２を形成する側壁１３に設けられた凹溝と係止してもよく、すなわち、開口孔１２の側壁１３と係止すればよく、限定されない。
【００３６】
また、段差部係止突起２７を側壁１３の両段差部１２ａと係止するものとしたが、大きな係止強度を必要としないときは一方のみでもよく、両段差部１２ａのうち少なくとも一方と係止すればよく、限定されない。
【００３７】
【発明の効果】
本発明の押し釦スイッチは上述のように構成してあるから、請求項１記載の発明にあっては、係止手段である操作子基端部側に設けられた係止突起によって、操作子をボデイの開口孔に嵌入すると前記係止突起が直交壁と係止するので、操作子を外部から引っ張っても、該操作子がボデイから抜け出すことがなくなり、かつ、従来のようにボデイに抜去防止用の貫通孔を設ける必要がなくなり、容易にボデイ内部と外部とをシールすることができるとともに更に、操作子の基端部に設けた押し釦を操作するために設けている傾斜部の反対側位置に前記基端部を撓ませる切欠きを設けたことにより、操作子の端近傍部分までの僅かな長さでありながら、操作子の両側を切り欠き該操作子の基端が細くなったため、操作子嵌入時に大きく撓むこととなり、その結果、操作子全体を長くすることなく、大きなたわみ量が取れて、操作子の開口孔への嵌入が非常にし易くなると言う効果を奏する。
【図面の簡単な説明】
【図１】本発明の第１実施形態を示す正断面図である。
【図２】同上の操作子と直交壁との係止状態を表す拡大正面図である。
【図３】同上の平面図である。
【図４】本発明の第２実施形態を示す正断面図である。
【図５】同上の平面図である。
【図６】同上の操作子と直交壁との係止状態を表す拡大平面図である。
【図７】従来例を示す正断面図である。
【図８】同上の正面図である。
【図９】同上の平面図である。
【符号の説明】
１      ボディ
１１    底部
１２    開口孔
１２ａ  段差部
１３    側壁
１４    開口部
１５    直交孔
１６    直交壁
２      操作子
２１    傾斜部
２２    係合凹部
２３    基端部
２４    先端部
２５    係止突起（係止手段）
２６    切り欠き部
２７    段差部係止突起（係止手段）
２８    別の切り欠き部
２９    両双子片
３      付勢ばね
４      可動接点板
４１    可動接点
５      固定接点
６      押し釦
【図１】
0003783291.tif 000002
【図２】
0003783291.tif 000003
【図３】
0003783291.tif 000004
【図４】
0003783291.tif 000005
【図５】
0003783291.tif 000006
【図６】
0003783291.tif 000007
【図７】
0003783291.tif 000008
【図８】
0003783291.tif 000009
【図９】
0003783291.tif 000010